(57)【要約】      （修正有）【課題】指導者が音源を操作して導いていた聴覚法の瞑想を、指導者が居なくても何時でも何処でも、一人でも自修出来るようにする。【解決手段】音源信号部分や微弱音信号部分（１〜１２）、無信号部分（１３〜２６）からなる信号を、ひとつ又は複数のトラック又はファイル等（ＴＲ１〜３，ＴＲ１０〜１２）に記録し、それを再生して使用する。少なくとも、データベース、定数発生装置、乱数発生装置を具備し自動的に、上記の信号を生成して発生させて、聴覚法の瞑想を自修可能にする。【選択図】図２
2005055850.tif 000002
【特許請求の範囲】
【請求項１】
音源信号部分と微弱音信号部分と無音信号部分の組み合わせ又は全てからなる信号の発生方法。
【請求項２】
ひとつ又は複数の、トラック又はファイル等に記録して再生が可能な、請求項１に記載の信号の発生方法。
【請求項３】
時間単位を基準として、記録し再生が可能なトラック又はファイル等を、ひとつ又は複数で構成する、請求項１又は２に記載の信号の発生方法。
【請求項４】
再生の終了を示す、トラック又はファイル等を設けた、請求項１又は２又は３に記載の信号の発生方法。
【請求項５】
少なくとも、データベース、乱数発生装置を具備し自動的に、請求項１に記載の信号を発生するシステム。
【発明の詳細な説明】
【発明の詳細な説明】
【０００１】  本発明は、音源として発生する信号を記録した部分と、それとは対照的に無音信号を記録した部分から成る、ひとつ又は複数のトラック又はファイル等で構成された再生可能なデータ記録方法と、データベース、乱数発生装置を具備し自動的に信号を生成し発生する方法である。
【０００２】  本発明を、聴覚を用いた瞑想法の用途への実施例をもとに説明する。
【０００３】  瞑想法には、音を聴くことに心を集中させて、心を澄ませて行く聴覚法がある。  従来は、瞑想を指導する者が音を発生させて、これに瞑想を受ける行修者が追従してゆくものであった。  つまり行修を行う者が瞑想している時に、指導者が音を発しその心を一心の状態に導く。  そしてある時、その音を滅断し無心の境涯を体験させる方法である。
【０００４】  〔図１〕は、この従来の瞑想の時間の経過を左から右へ表すものである。  ＴＡ１〜３では、ただ行修者が瞑想を続けています、しかし心の中には雑念・妄念が現れては消えている。  あるタイミングで指導者が音を発して行修者の心を集中させる、ＴＢ１、ＴＢ２に示すものがその音の継続時間である。
【０００５】  この方法では常に指導者を必要とするため、ひとりでは行修することが出来なかった。  なぜならば自らの心に意識観念を持って、音の発生・滅断を操作していたのでは、発せられる音に一心になり心を澄まし瞑想を深めて行くこの瞑想法に、絶対的に矛盾するからである。
【０００６】  以下に本発明を、瞑想行修用に作られたＣＤを実施例として図面を用いて説明する。
【０００７】  〔図２〕は、請求項２のＣＤへの実施例の１つで、ＣＤに記録したトラックを帯状に表したものである。  このＣＤは説明用に、１２のトラックを設定したものであり、図の中に記入した括弧の部分ＴＲ１〜３と中間を略してＴＲ１０〜１２がそのトラックになる。
【０００８】  この各トラックの中には、音源信号又は微弱音信号の記録部分１〜１２（〔図１〕のＴＢ１，ＴＢ２に相当する）が不規則な時間、不規則な間隔で、斜線部の様に記録して有る。  その間にある、空白の部分１３〜２６（〔図１〕のＴＡ１，ＴＡ２，ＴＡ３に相当する）が、無音信号の記録部分になる。
【０００９】  この様にして作られたＣＤを聴きながら、聴こえてくる音に心を一心に集中し、途切れたところから心の澄んだ状態を維持して行く。  従って本発明は、このＣＤを携帯し再生することにより、いつでも何処でも、また一人でも多人数でも自由な瞑想の行修を可能にする。
【００１０】  また請求項３の実施例の１つとして、１２個あるこのＣＤのトラックを例えば各々５分に統一して制作しておき、プログラム再生等を使って再生する事により５分おきに５分〜６０分まで、瞑想の行修時間を自由に選択することが可能になる。
【００１１】  そして、このトラックをランダムに選択して再生すれば、多数の再生パターンを生み出して瞑想の行修が出来るので、この瞑想を日課として行う場合に極めて有効である。
【００１２】  請求項４の実施例として、このＣＤに瞑想の終了を示すトラックを、少なくとも１つ設けて置けば、設定時間の終了を知ることが出来るので大変便利である。
【００１３】  それから、トラック又はファイル等の数、トラック又はファイル等への記録再生時間、トラック又はファイル等への総記録再生時間は、この明細書の説明の限りではないこと当然である。
【００１４】  前記の実施例ではひとつのトラック内に、音源信号又は微弱音信号部分と無音信号部分を、混在させて記録し再生していた。  この音源信号部分、微弱音信号部分、無音信号部分を、各々別の独立したトラック又はファイル等に記録して、これを再生し前記の瞑想行修用にしても良いこと当然である。
【００１５】  今まで述べてきた方法は、ＣＤに代表される記憶媒体に、音源信号、微弱音信号、無音信号を記録し、随時再生することにより何時でも何処でも、瞑想の行修を可能にするものである。  但し、この方法の信号パターンを書き込むためには、修行を積んだ人が必要である。
【００１６】  請求項５の発明は、パソコンの様な電子機器により上記信号パターンを、自動的に生成し発生せんとするものである。  時間設定データベースと定数発生装置、乱数発生装置、及びこれら両者の演算装置により、２種類以上の音源発生時間を生成し、その時間を音源出力装置に入力し所定の音源を得るものである
【００１７】  以下、この実施例を図面に従って詳細に説明する。
【００１８】  従来、前記のように聴覚法による瞑想行は、自ら修行を積んだ指導者が自分の経験から手動で音源の投入／切断を行っていた。  〔図１〕で説明すれば、ＴＡ１無音の後音源を投入し、ＴＢ１後音源を切断する、ＴＡ２無音の後音源を投入することを繰り返す。  これらの時間の長さは、無心を実体験する上で極めて重要である。
【００１９】  何故ならば、徒に音の投入／切断を繰り返していても行修者は無心を実体験することは出来ない。
【００１９】  無音の時間（ＴＡ）、音の発信時間（ＴＢ）の長さを少し詳しく説明して行く。
１．ＴＡ（無音時間）：一定値ではいけない。  行修という目的から考えて予測出来たのでは、所期の目的を達することは出来ない。  〔図３〕に示すように１分から１０分の時間を、ランダムに選んだ発生時間を基準とする。
２．ＴＢ（音源信号継続時間）：この時間は比較的短くて良い。  〔図４〕に示す５秒から１２０秒の間の時間を、ランダムに選んだ発生時間に従うことを基準とする。
【００２０】  次に本発明を実現するシステ厶について、〔図５〕のシステム系統図に沿って説明する。  時間設定データベース１内に、〔図３〕及び〔図４〕に示す分布に相当するデータを格納しておき、以下〔図５〕に示す構成により実信号に変換する。  〔図３〕及び〔図４〕に示す例は、均一な分布であるが、行修者のレベルに対応してその発生時間を、さらに絞った均一分布にシフトさせて良いこと当然である。  また、データを正規分布にして、行修者のレベルに対応したシフトをしても良いこと当然である。
【００２１】  この様にしてこの発明は、従来は１人では難しかった聴覚法による瞑想を、自由にしかも簡単に実践する事を可能にする。
【００２２】  また、これらの方法を用い、映像や画像等と音や音楽等を組み合わせて、幼児から大人までのリラクセーションや教育用のコンテンツとして、制作して良いこと当然である。
【図面の簡単な説明】
【図１】  瞑想中の無音の時と音の発している時を分かりやすく、左から右へ時間の流れとして表現したものである。
【符号の説明】
ＴＡ１〜３      無音で瞑想中の状態
ＴＢ１〜２      瞑想中に発した音の始まりと終わり
【図２】
信号を記録したＣＤのトラックを帯状に表現したものである。
【符号の説明】
１〜１２        音源信号又は微弱音信号記録部分
１３〜２６      無音信号記録部分
ＴＲ１〜３      記録トラック１〜３
ＴＲ１０〜１２  記録トラック１０〜１２
【図３】
無音の時間の長さと、それを決定する分布
【符号の説明】
ＴＡ            無音の時間
Ｐ（ＴＡ）      無音時間の分布
【図４】
音の発信の時間の長さと、それを決定する分布
【符号の説明】
ＴＢ            発信の時間
Ｐ（ＴＢ）      発信時間の分布
【図５】
音源信号発生装置のシステム系統図
【符号の説明】
１              時間設定データベース
２              定数発生装置
３              乱数発生装置
４              演算装置
５              ＴＡ，ＴＢ設定装置
６              音源出力装置
【図１】
2005055850.tif 000003
【図２】
2005055850.tif 000004
【図３】
2005055850.tif 000005
【図４】
2005055850.tif 000006
【図５】
2005055850.tif 000007